(57)【要約】【課題】被仰臥部に寝た人が小さな力でも簡単に半身を起こすことができる起上り補助具を提供すること。【解決手段】起上り補助具１は、ベッドのマットに近接配置される固定部１０に一端部が係止される係止部２１を有する略ひも状の弾性部材２と、この弾性部材２の他端部側に弾性部材２の長手方向に沿って３個並んで配置されるとともに寝た人が把持する把持具３１〜３３とを備えて構成されているので、交互の手で隣り合う把持具３１〜３３を交互に把持して手前に引っ張って弾性部材２を手繰り寄せると、最初は小さな反発力であっても最後には最も大きな反発力が働く。この反発力により、高齢者や身体に障害を持つ人であっても、徐々に半身を無理なく起こすことができる。【選択図】図１
2007130415.tif 000002
【特許請求の範囲】
【請求項１】
被仰臥部に寝た人が半身を起こす際に使用する起上り補助具であって、前記被仰臥部に近接配置される固定部に一端部が係止される係止部を有する略ひも状の弾性部材と、この弾性部材の他端部側に前記弾性部材の長手方向に沿って複数並んで配置されるとともに前記寝た人が把持する把持具とを備えたことを特徴とする起上り補助具。
【発明の詳細な説明】
【技術分野】
【０００１】  本発明は、寝具等の被仰臥部に寝た人が半身を起こす際に使用する起上り補助具に関する。
【背景技術】
【０００２】  ベッド、布団等の寝具の上に寝ている人は、健常者であれば腹筋を使って簡単に半身を起こすことができるが、高齢者や身体に障害を持っている人等は、腹筋が弱いため、補助具を使って半身を起こすことがある。
この補助具として、従来では、例えば、布製ひもが多用されており、このひもは、ベッドの足元側に固定されているフレームに一端部を取り付けて使用される。
ひもを補助具として利用するにあたり、ベッドに寝ている人は、ひもの他端部を片手で持ち、さらに、ひもを手繰り寄せるようにひもの持ち手を交互に変える。
【発明の開示】
【発明が解決しようとする課題】
【０００３】  しかしながら、一端をベッドに取り付けたひもを補助具として利用する従来例では、寝た人がひもを手繰り寄せるに大きな力を必要とする。そして、ひもをそのまま利用する場合にはひもに握る場所がないので滑ることになり、補助具として十分に利用することができない。特に、高齢者や身体に障害を持っている人等は握力も弱いこともあり、ひもを用いて半身を起こすことを容易に行えない。【０００４】  本発明の目的は、被仰臥部に寝た人が小さな力でも簡単に半身を起こすことができる起上り補助具を提供することである。
【課題を解決するための手段】
【０００５】  本発明の起上り補助具は、被仰臥部に寝た人が半身を起こす際に使用する起上り補助具であって、前記被仰臥部に近接配置される固定部に一端部が係止される係部を有する略ひも状の弾性部材と、この弾性部材の他端部側に前記弾性部材の長手方向に沿って複数並んで配置されるとともに前記寝た人が把持する把持具とを備えたことを特徴とする。【０００６】  この発明によれば、ベッド、その他の寝具等の被仰臥部に近接配置された固定部、例えば、ベッドの足元側にあるフレームに弾性部材の一端部を予め取り付けておく。ベッド等に寝た人は、まず、弾性部材の最も他端側に配置された把持具を一方の手で把持し、手前側に引っ張る。すると、弾性部材が所定寸法延びることになって弾性力が発生し、その反発力により寝た人の半身が起上るような力が働く。
そして、複数ある把持具のうち次に他端側に近い把持具を他方の手で持ち、そのまま手前側に引っ張る。すると。先ほどより大きな弾性力が弾性部材に働き、その大きな反発力により寝た人の半身が大きく立ち上がる。
このように交互の手で隣り合う把持具を交互に把持して手前に引っ張って弾性部材を手繰り寄せると、最初は小さな反発力であっても最後には最も大きな反発力が働き、無理なく半身を起こすことができる。
【発明を実施するための最良の形態】
【０００７】  以下、本発明の一実施形態を図面に基づいて説明する。
図１には本実施の形態の概略構成が示されている。
図１において、起上り補助具１は、被仰臥部、例えば、ベッドのマット（図示せず）に寝た人が半身を起こす際に使用する起上り補助具であり、ベッドのマットに近接配置される固定部１０、例えば、ベッドのフレームに一端部が係止される係止部２１を有する略ひも状の弾性部材２と、この弾性部材２の長手方向に沿って３個並んで設けられた把持具３１〜３３とを備えた構成である。【０００８】  弾性部材２は、所定寸法、例えば、幅寸法、５ｃｍ、長さ寸法、１ｍ２０ｃｍ程度の帯状に形成されたゴムひもであり、その先端部は折り返してミシン等で縫いこまれて環状とされ、その環状部分に係止部２１であるＳ字状のフックに一端部が係止されている。この係止部２１を構成するフックはプラスチック、その他の硬質材料で形成されている。
把持具３１〜３３は弾性部材２の他端側から一端側にかけて第１の把持具３１、第２の把持具３２及び第３の把持具３３が並んで配置されており、これらの把持具３１〜３３のうち隣り合う把持具３１〜３３の間の寸法は、人の両手の間の間隔より狭く、弾性部材２を手繰り寄せることができる寸法、例えば、３０ｃｍである。【０００９】  把持具３１〜３３は、それぞれ弾性部材２に設けられる環状取付部４と、この環状取付部４に係止されるリング５と、このリング５の一部に設けられる握り部６とを備えて構成される。
環状取付部４は弾性部材２の幅寸法と同じ幅寸法の布製帯部材の両端部を重ねるように折り返し、その両端部を弾性部材２に縫い付けるものである。
リング５はプラスチック製や金属製であり、その内径寸法は人の掌の寸法より大きい。
握り部６はリング５を握りやすくするためのものであり、タオルをリング５に巻きつけて縫い付けることで構成される。【００１０】  次に、本実施の形態にかかる起上り補助具１の使用方法について説明する。
まず、ベッドのマットに近接配置される固定部１０、つまり、ベッドの足元にあるフレームに弾性部材２の一端部に設けられた係止部２１を引っ掛けておく。
ベッドのマットに寝ている人は、まず、弾性部材２の最も他端側に配置された第１の把持具３１を一方の手で持ち、手前側に引っ張る。すると、弾性部材２が延びることになって弾性力が発生し、その反発力により寝た人の半身が起上るような力が働く。
次に他端側に近い第２の把持具３２を他方の手で持ち、そのまま手前側に引っ張る。すると。先ほどより大きな弾性力が弾性部材２に働き、その大きな反発力により寝た人の半身が大きく立ち上がる。さらに、第１の把持具３１から手を離し、その手で第３の把持具３３を把持する。このように交互の手で隣り合う把持具３１〜３３を交互に把持して手前に引っ張って弾性部材２を手繰り寄せることで、無理なく半身を起こすことができる。【００１１】  従って、本実施の形態によれば、起上り補助具１は、ベッドのマットに近接配置される固定部１０に一端部が係止される係止部２１を有する略ひも状の弾性部材２と、この弾性部材２の他端部側に弾性部材２の長手方向に沿って３個並んで配置されるとともに寝た人が把持する把持具３１〜３３とを備えて構成されているので、交互の手で隣り合う把持具３１〜３３を交互に把持して手前に引っ張って弾性部材２を手繰り寄せると、最初は小さな反発力であっても最後には最も大きな反発力が働く。この反発力により、高齢者や身体に障害を持つ人であっても、徐々に半身を無理なく起こすことができる。【００１２】  しかも、係止部２１はＳ次型のフックであるため、固定部１０に対して簡単に取り付けあるいは取り外すことができるので、どこでも弾性部材２を装着することができる。
その上、把持具３１〜３３を構成するリング５にタオルからなる握り部６を取り付けたから、タオルの弾力性によって手が痛くなることがない。【００１３】  なお、次の変形、改良等は本発明に含まれるものである。
例えば、前記実施の形態では、握り部６をリング５に取り付けたが、本発明では、握り部６を設けなくてもよく、使用者はリング５を直接握るようにしてもよい。
本発明は、起上り補助具１を用いる対象をベッドに限定されるものではなく、布団、畳、その他の被仰臥部であってもよい。そして、固定部１０はベッドのフレームに限定されるものではなく、例えば、布団や畳に寝ている人が起上る際には、足元にあるたんす、壁等を固定部として使用してもよい。
また、把持具３１〜３３の数は３個に限定されるものではなく２個あるいは４個以上であってもよい。
そして、係止部２１はフックに限定されるものではなく、弾性部材２を直接固定部に取り付けるものでもよい。
また、弾性部材２はゴム製としたが、コイルばねを利用してもよい。但し、ゴムを利用した方が起上り補助具の製造を容易にできる。
【産業上の利用可能性】
【００１４】  本発明は、自宅、病院等で利用することができる。
【図面の簡単な説明】
【００１５】
【図１】  本発明の一実施形態にかかる起上り補助具の全体構成を示す正面図。
【符号の説明】
【００１６】  １…起上り補助具、２…弾性部材（ゴム）、１０…固定部（ベッドのフレーム）、２１…係止部（フック）、３１〜３３…把持具
【図１】
2007130415.tif 000003